(57)【要約】【課題】前面枠の隙間から針金などを差し込んで行なわれる不正解錠を防止することができる遊技機用施錠装置を提供する。【解決手段】基枠１の内側に、鉤部４，５を一体的に設けた摺動杆６が摺動可能に配設され、基枠１の取付板２にシリンダ錠７が取り付けられる。錠軸の先端に摺動杆６と係合するカム板８が固定される。本体枠２０側に取付けられた受け金具３０に鉤部４，５が係止されて前面枠を施錠する。施錠状態の摺動杆６をカム板以外により解錠方向に摺動させようとしたとき、摺動杆６の移動を阻止するストッパ１８が設けられ、受け金具３０には、摺動杆６の鉤部４，５が係止される係止部材３１が移動可能に取り付けられる。係止部材３１は、摺動杆６の鉤部４、５が係止動作を開始するときに係止可能な位置に移動し、係止完了時には鉤部の係止状態を保持するように形成される。【選択図】図９
2004044305.tif 000002
【特許請求の範囲】
【請求項１】
取付板と支持板を有した縦長の基枠の内側に、上部と下部に鉤部を一体的に設けた摺動杆が摺動可能に配設され、該基枠の取付板にシリンダ錠がその錠軸を内側に差込むように固定され、該錠軸の先端に前記摺動杆と係合するカム板が固定され、前記基枠の取付板が遊技機の前面枠に縦に取付けられ、遊技機の本体枠側に取付けられた受け金具に前記鉤部が係止されて該前面枠を施錠する遊技機用施錠装置において、
施錠状態の前記摺動杆をカム板以外により解錠方向に摺動させようとしたとき、該摺動杆の移動を阻止するロック手段が設けられ、前記受け金具には、該摺動杆の上部と下部に設けた鉤部が係止される係止部材が移動可能に取り付けられ、該係止部材は、該摺動杆の鉤部が係止動作を開始するときに係止可能な位置に移動し、係止完了時には該鉤部の係止状態を保持するように形成されたことを特徴とする遊技機用施錠装置。
【請求項２】
前記ロック手段として、前記カム板が係合する前記摺動杆の係合部近傍に、該摺動杆をカム板以外により解錠方向に摺動させたとき、該カム板に当接して該摺動杆の移動を阻止するストッパが設けられたことを特徴とする請求項１記載の遊技機用施錠装置。
【請求項３】
前記係止部材は、ガイドピンと該ガイドピンが係合するガイド孔とにより、前記鉤部の係止方向と離脱方向に移動可能に、受け金具本体に取り付けられ、該係止部材には係止方向に付勢するばね部材がかけられていることを特徴とする請求項１記載の遊技機用施錠装置。
【発明の詳細な説明】
【０００１】
【発明の属する技術分野】
本発明は、パチンコ機、スロットマシンなどの遊技機の施錠装置に関し、特に、遊技機の前面枠（前扉）を本体枠（筐体）に対し良好に施錠すると共に、不正解錠を防止し得る遊技機用施錠装置に関する。
【０００２】
【従来の技術】
例えば、パチンコ機の前面枠を本体枠に対し施錠する施錠装置として、断面Ｌ字状の取付板と支持板からなる基枠の内側に摺動杆が摺動可能に配設され、摺動杆の上部と下部に鉤部が側方に突出して形成され、取付板の中間部にシリンダ錠がその錠軸を取付板に設けた孔から内側に差込むように固定され、錠軸の先端に摺動杆と係合するカム板が固定されてなる施錠装置が使用されている（例えば、実開平２−３７８４号公報等参照）。
【０００３】
【発明が解決しようとする課題】
この種の施錠装置は、前面枠を施錠するために、前面枠を本体枠に対し閉じると、本体枠側に固定した受け金具の係止部に、摺動杆の上部と下部の鉤部が当たり、鉤部が摺動杆と共に解錠方向に一旦移動しながら元の位置に戻ってそのフック状の係止部分に係止され、施錠される。
【０００４】
しかしながら、この種の施錠装置では、摺動杆と鉤部が一体に形成されているため、不正解錠をしようとする者が、前面枠の隙間から針金などを差し込み、その先端を摺動杆や鉤部の一部に引っ掛けて、解錠方向に引いた場合、摺動杆が上下の鉤部と共に、解錠側に摺動するため、不正解錠が比較的容易に行なわれ易いという課題があった。
【０００５】
本発明は、上記の課題を解決するためになされたもので、前面枠の隙間から針金などを差し込んで行なわれる不正解錠を防止することができる遊技機用施錠装置を提供することを目的とする。
【０００６】
【課題を解決するための手段】
上記の目的を達成するために、本発明の施錠装置は、取付板と支持板を有した縦長の基枠の内側に、上部と下部に鉤部を一体的に設けた摺動杆が摺動可能に配設され、基枠の取付板にシリンダ錠がその錠軸を内側に差込むように固定され、錠軸の先端に前記摺動杆と係合するカム板が固定され、基枠の取付板が遊技機の前面枠に縦に取付けられ、遊技機の本体枠側に取付けられた受け金具に鉤部が係止されて前面枠を施錠する遊技機用施錠装置において、施錠状態の摺動杆をカム板以外により解錠方向に摺動させようとしたとき、摺動杆の移動を阻止するロック手段が設けられ、受け金具には、摺動杆の上部と下部に設けた鉤部が係止される係止部材が移動可能に取り付けられ、係止部材は、摺動杆の鉤部が係止動作を開始するときに係止可能な位置に移動し、係止完了時には鉤部の係止状態を保持するように形成されたことを特徴とする。
【０００７】
ここで、上記ロック手段として、カム板が係合する摺動杆の係合部近傍に、摺動杆をカム板以外により解錠方向に摺動させたとき、カム板に当接して摺動杆の移動を阻止するストッパを設けることができる。
【０００８】
また、上記係止部材は、ガイドピンとそのガイドピンが係合するガイド孔とにより、鉤部の係止方向と離脱方向に移動可能に、受け金具本体に取り付けられ、係止部材には係止方向に付勢するばね部材をかけられて構成することができる。
【０００９】
【作用】
このような構成の施錠装置では、前面枠を本体枠に対し閉じると、施錠装置の摺動杆の上下の鉤部の傾斜部が、本体枠側の受け金具の係止部材に当る。このとき、摺動杆はロック手段によって解錠方向への移動が遊び幅を除き実質的に阻止されているため、係止部材が鉤部の力を受けて先ず係止可能な位置に動き、さらに、係止部材が解錠側に摺動し、フック状の鉤部が係止部材に係止される状態になると、係止部材が元の施錠位置に戻り、施錠状態となる。つまり、施錠時には、実質的に受け金具の係止部材が動いて施錠状態となる。
【００１０】
施錠状態においては、ロック手段により摺動杆は解錠方向への移動を阻止されるから、前面枠の隙間から針金などを差し込み摺動杆や鉤部に引っ掛けてそれを解錠方向に不正に動かして不正解錠しようとしても、摺動杆は動かず、不正解錠を防止することができる。
【００１１】
それを解錠する場合は、キーによってシリンダ錠を回し、カム板を回転させる。ロック手段はカム板の回転によっては作動せず、或いはカム板の回転によってロック手段のロックが解除されるから、カム板が摺動杆と係合してこれを解錠方向に摺動させ、上下の鉤部が移動することによって、本体枠側の受け金具の係止部材との係合が外れ、前面枠は開放可能な状態となる。
【００１２】
このように、施錠状態における摺動杆の移動がロック手段によって阻止されるから、不正解錠を防止することができ、また、ロック手段としては、摺動杆におけるカム板との係合部近傍にストッパを設けるだけの簡単な構造を採用できるため、ロック手段を備えた施錠装置の構造を極めて簡単化することができる。
【００１３】
さらに、この種の摺動杆のロック手段を設けた施錠装置では、前面枠が開いた状態から閉じて施錠する場合、ロック手段が摺動杆をロック状態としているため、前面枠を閉じる際にロック状態を一時的に解除し摺動杆を摺動可能にする機構が必要となるが、本発明では、受け金具の係止部材を移動させて摺動杆の鉤部を係止つまり施錠状態とするため、ロック状態を一時的に解除し摺動杆を摺動可能にする機構は不要となり、施錠装置の構造を簡単化することができる。
【００１４】
【発明の実施の形態】
以下、本発明の実施例を図面に基づいて説明する。図１は施錠装置の正面図を、図２はその左側面図を、図３はその右側面図を、図４はその背面図を各々示している。１は取付板２と支持板３を有してフレーム状に一体成形してなる縦長の基枠で、取付板２には複数の取付孔が穿設される。
【００１５】
上部と下部に鉤部４、５を一体的に設けた摺動杆６が上下に摺動可能に配設される。鉤部４、５は三角形頭部を有しその中間部に係合凹部を下側に向けて有してフック状に形成されている。また、支持板３の一部を内側に曲げそこにスリットを設けることによって、鉤部４、５を摺動可能にガイドするガイド部３ｃを形成している。
【００１６】
支持板３に２個の長孔３ｂが形成され、その長孔３ｂに頭付ガイドピン６ａを通しその先端が摺動杆６に固定され、摺動杆６は支持板３に対し所定の範囲で摺動可能に支持される。摺動杆６の下部に、後述のカム板８の第一係合凸部８ａが係合する係合部１７が形成される。取付板２と摺動杆６の間にコイルばね９ｃが掛けられ、摺動杆６はこのばねにより常時下方に付勢される。鉤部４、５を上部と下部に有する摺動杆６は、パチンコ機の前面枠用の施錠機構を構成する。
【００１７】
取付板２の下部の拡幅部分に、シリンダ錠７を取り付けるための異形孔が形成され、シリンダ錠７の元部を基枠１の内側に入れ、そこに固定する。シリンダ錠７は、その元部にフランジ７ａを有し、錠軸を基枠１の内側に挿入するようにして、フランジ７ａを取付板２の内側に固定ねじで固定する。
【００１８】
シリンダ錠７の錠軸には第一係合凸部８ａと第二係合凸部８ｂを持つカム板８が固定される。図４反時計方向にカム板８を回動させた場合、カム板の第一係合凸部８ａは摺動杆６の係合部１７に係合し、摺動杆６を上方に摺動させ、鉤部４、５を上方に摺動させる。また、図５に示すように、摺動杆６の係合部１７の近傍には、ストッパ１８が設けられる。このストッパ１８は、施錠状態において、摺動杆６がカム板以外の力によって解錠方向に動かされた場合、カム板８の第一係合凸部８ａにストッパ１８が当たり、摺動杆６の解錠方向への移動を阻止し、不正解錠を防止するものである。
【００１９】
さらに、取付板２の内側に長手方向に沿って、縦長のガラス枠施錠杆１０が摺動可能に配設される。ガラス枠施錠杆１０は、図４、図５に示すように、帯状金属の上部と下部に、ガラス枠鉤部１２と１３を突設し、さらに下部にカム板８の第二係合凸部８ｂと係合可能な係合部１４を設けて形成される。上下のガラス枠鉤部１２、１３は、略三角形頭部を有して後述のガラス枠に設けた係止部２３に係止可能に形成され、また、ガラス枠施錠杆１０の中間部には手動操作用の操作部１５が突設される。操作部１５は、基枠１の支持板３に形成した開口部３ａから外側に突き出るように配設される。
【００２０】
基枠１の取付板２の上部には、ガラス枠鉤部１２を挿通するための長孔２ａが形成され、その長孔２ａからガラス枠鉤部１２は前方に突出する。また、取付板２の下部には、ガラス枠鉤部１３を挿通するための開口部２ｂが形成され、その開口部２ｂからガラス枠鉤部１３は前方に突出する。ガラス枠施錠杆１０には、複数の長孔１０ｃが形成され、各々の長孔に頭付ガイドピン２ｃが通され、その先端が取付板２上に固定される。
【００２１】
これにより、ガイド枠施錠杆１０は取付板２上において所定の範囲で上下摺動可能に支持される。ガラス枠施錠杆１０と取付板２の間にコイルばね９ｂが掛けられ、さらにガラス枠施錠杆１０と摺動杆６と間にコイルばね９ａが掛けられ、これにより、ガラス枠施錠杆１０は上方へ付勢される。
【００２２】
このように構成された施錠装置は、図９に示すように、パチンコ機における例えば合成樹脂製の前面枠２１の内側に、シリンダ錠７の先端を前面に露出させ、鉤部４、５をパチンコ機の本体枠２０側に突出した状態で、取付板２を用いて縦に取付けられる。
【００２３】
一方、本体枠２０の内側の鉤部４、５に対応した上下位置には、受け金具３０が固定される。受け金具３０は、図６〜図８に示すように、矩形板状の受け金具本体３２の表面側に、鉤部４，５が係止される係止部材３１を、所定の範囲で上下に且つ前後に摺動可能に取り付けられる。
【００２４】
すなわち、受け金具本体３２には、ガイド孔３２ａとＬ形ガイド孔３２ｂが形成され、係止部材３１は、受け金具本体３２の表面に摺接する平板本体に、鉤部４，５が係止される係止部３１ａを、直角に曲折して突き出すように形成し、平板本体の裏面側にガイド孔３２ａとＬ形ガイド孔３２ｂに係合可能なガイドピン３４と３５を突設して形成される。そして、係止部材３１の上部と受け金具本体３２間にコイルばね３３がかけられる。
【００２５】
このコイルばね３３は、不正防止や他からの干渉を回避するために、受け金具本体３２の裏面側に配設され、図６のように、係止部材３１を上方位置で且つ鉛直姿勢で、鉤部４，５を適正に係止可能な状態に付勢している。また、この係止部材３１は、図６の状態で、施錠装置の鉤部４，５が横方向から進入し、係止部３１ａを後方に押すと共に、下方に押しさげた場合、ガイド孔３２ａとＬ形ガイド孔３２ｂ及びそこに係合するガイドピン３４，３５の作用により、係止部材３１の下部が先ず後方に移動して傾斜し、その状態で下方に移動するように動作する。
【００２６】
つまり、この係止部材３１は、単に下方への下降力を受けただけでは、下方に移動せず、鉤部４，５による押し込み動作のように、後方に押されながら下方に押し下げられた場合、下方に移動して、鉤部４，５の係止を可能とし、且つ係止した鉤部４，５が係止部３１ａから容易に外れない構造としている。
【００２７】
一方、パチンコ機の前面にはガラス枠２２が前面枠２１の開口部にヒンジを介して開閉可能に取付けられ、そのガラス枠２２の自由端部に、且つガラス枠施錠杆１０のガラス枠鉤部１２、１３が係止可能な、係止部２３が取り付けられる。この係止部２３は、ガラス枠鉤部１２、１３が進入可能な凹部の上部に金属板を渡す形態で形成される。
【００２８】
このような遊技機用施錠装置は、パチンコ機における前面枠２１を本体枠２０に対し閉じると、先ず図９に示すように、施錠装置の上下の鉤部４、５の傾斜部が本体枠２０側の受け金具３０の係止部材３１の係止部３１ａに当る。このとき、鉤部４，５と一体の摺動杆６は、その一部に設けたストッパ１８とカム板８の第一係合凸部８ａとの係合により、遊び幅を除き実質的に阻止されているから、上昇移動できない。しかし、鉤部４，５の傾斜部が係止部３１ａに当たるため、係止部材３１が、先ずその下部を後方に移動し、ガイドピン３５がガイド孔３２ｂの水平部を後方に移動して、下降可能な状態となったとき、次に、図１０のように、係止部材３１が下降するから、鉤部４，５が係止可能な状態となる。そして、さらに前面枠２１が閉鎖方向に押されると、鉤部４，５の凸部が係止部３１ａを乗り越え、このとき、図１１のように、係止部材３１がコイルばね３３の付勢力によって、施錠位置に上昇し、鉤部４，５が係止部材３１の係止部３１ａに係止され、施錠状態となる。
【００２９】
このように、前面枠２１を閉じて施錠する際には、鉤部４，５と一体の摺動杆６がストッパ１８とカム板８の係合により摺動できない状態にあって、この鉤部４，５が移動するのではなく、受け金具３０の係止部材３１が摺動して鉤部４，５が係止部３１ａに係止されて施錠される。したがって、施錠状態において、前面枠２１と本体枠２０の隙間から針金などを差し込み、摺動杆６や鉤部４，５を引っ掛けて解錠方向に移動させようとしても、摺動杆６がその一部に設けたストッパ１８とカム板８の係合により摺動できない状態にあって動かず、この種の不正解錠を防止することができる。
【００３０】
一方、前面枠を解錠する場合は、キーによってシリンダ錠７の錠軸を回し、カム板８を図４反時計方向に回転させると、カム板８の第一係合凸部８ａが摺動杆６の係合部１７と係合してこれを上方へ摺動させ、上下の鉤部４、５を上に移動させる。勿論このときには、カム板８が摺動杆６を摺動させるため、ストッパ１８が作用することはない。この鉤部４、５の上移動によって、本体枠２０の受け金具３０の係止部材３１の係止部３１ａとの係合が外れ、前面枠２１は開放可能な状態となる。
【００３１】
一方、前面枠２１内のガラス枠２２を前面枠２１に対し閉じると、図９〜図１１に示すように、ガラス枠２２の内側に設けた係止部２３が、ガラス枠施錠杆１０のガラス枠鉤部１２、１３の頭部の傾斜面に当り、これをガラス枠施錠杆１０と共に下方に摺動させ、コイルばね９ａ，９ｂの付勢力によりガラス枠施錠杆１０が上方に戻ることにより、係止部２３にガラス枠鉤部１２、１３が係止され、ガラス枠２２は施錠状態となる。
【００３２】
ガラス枠２２を解錠する場合は、シリンダ錠７のキーを逆方向に回して、カム板８を図４時計方向へ回動させると、図１２に示すように、カム板８の第二係合凸部８ｂがガラス枠施錠杆１０の係合部１４と係合してこれを下方へ摺動させ、上下のガラス枠鉤部１２、１３を下方へ移動させる。この動作によって、ガラス枠２２のガラス枠鉤部１２、１３と係止部２３の係合が外れ、ガラス枠２２は開放される。
【００３３】
なお、上記実施形態では、施錠状態において摺動杆６の解錠方向への移動を阻止するようにロックするロック手段として、カム板８に係合するストッパ１８を摺動杆６の一部に設けた構造としたが、その他に、別のロック部材を基枠１内に配設し、そのロック部材により施錠状態時の摺動杆６の解錠方向への摺動を阻止する構造とすることもできる。
【００３４】
【発明の効果】
以上説明したように、本発明の遊技機用施錠装置によれば、施錠状態においては、ロック手段により摺動杆は解錠方向への移動を阻止されるから、前面枠の隙間から針金などを差し込み摺動杆や鉤部に引っ掛けてそれを解錠方向に不正に動かして不正解錠しようとしても、摺動杆は動かず、不正解錠を防止することができる。また、ロック手段としては、摺動杆におけるカム板との係合部近傍にストッパを設けるだけの簡単な構造を採用できるため、ロック手段を備えた施錠装置の構造を極めて簡単化することができる。
【００３５】
さらに、この種の摺動杆のロック手段を設けた施錠装置では、前面枠が開いた状態からそれを閉じることにより施錠する際、ロック手段が摺動杆をロックしているため、前面枠を閉じる際にそのロック状態を一時的に解除し摺動杆を摺動可能にする機構が必要となるが、本発明では、受け金具の係止部材を移動させて摺動杆の鉤部を係止つまり施錠状態とするため、ロック状態を一時的に解除し摺動杆を摺動可能にする機構は不要となり、施錠装置の構造を簡単化することができる。
【図面の簡単な説明】
【図１】本発明の一実施例を示す施錠装置の正面図である。
【図２】その左側面図である。
【図３】その右側面図である。
【図４】その背面図である。
【図５】施錠装置の分解側面図である。
【図６】受け金具の正面図である。
【図７】受け金具の左側面図である。
【図８】受け金具の分解正面図である。
【図９】施錠する状態の左側面図である。
【図１０】施錠する状態の左側面図である。
【図１１】施錠した状態の左側面図である。
【図１２】ガラス枠施錠杆を解錠方向に動かしたときの背面図である。
【符号の説明】
１−基枠
２−取付板
３−支持板
４、５−鉤部
６−摺動杆
７−シリンダ錠
８−カム板
１８−ストッパ
３０−受け金具
３１−係止部材
３２−受け金具本体
３３−コイルばね
【図１】
2004044305.tif 000003
【図２】
2004044305.tif 000004
【図３】
2004044305.tif 000005
【図４】
2004044305.tif 000006
【図５】
2004044305.tif 000007
【図６】
2004044305.tif 000008
【図７】
2004044305.tif 000009
【図８】
2004044305.tif 000010
【図９】
2004044305.tif 000011
【図１０】
2004044305.tif 000012
【図１１】
2004044305.tif 000013
【図１２】
2004044305.tif 000014